(57)【特許請求の範囲】
【請求項１】
流入口から第１流体を導入すると共に流出口から前記第１流体を排出するように構成された筒状のダクト（１００）と、
前記ダクトに収容されており、第２流体と前記ダクトに流れる前記第１流体とを熱交換可能に構成されたコア（２００）と、
前記流入口及び前記流出口の開口形状に対応した枠状に形成されていると共に、前記流入口及び前記流出口に固定されたかしめプレート（３００）と、
前記かしめプレートのうち前記ダクト側とは反対側に配置されていると共に、前記かしめプレートにかしめ固定されたタンク（４００）と、
を備え、
前記かしめプレートは、当該かしめプレートの内周部（３２０）のうちの異なる２カ所を繋ぐ梁部（３３０）を有し、
前記梁部は、前記コア側及び前記コアとは反対側のいずれか一方または両方に突き出たリブ（３３１）を有し、
前記リブは、前記梁部の中央部（３３５）が凹んだ形状に構成され、
前記かしめプレートは、前記ダクトの外壁面（１０１）に固定された筒状の側壁部（３１１）を有し、
前記リブは、前記側壁部に接続されている熱交換器。
【請求項２】
前記リブは、前記内周部に接続された一端部（３３２）から他端部（３３３）まで連続して設けられている請求項１に記載の熱交換器。
【請求項３】
流入口から第１流体を導入すると共に流出口から前記第１流体を排出するように構成された筒状のダクト（１００）と、
前記ダクトに収容されており、第２流体と前記ダクトに流れる前記第１流体とを熱交換可能に構成されたコア（２００）と、
前記流入口及び前記流出口の開口形状に対応した枠状に形成されていると共に、前記流入口及び前記流出口に固定されたかしめプレート（３００）と、
前記かしめプレートのうち前記ダクト側とは反対側に配置されていると共に、前記かしめプレートにかしめ固定されたタンク（４００）と、
を備え、
前記かしめプレートは、当該かしめプレートの内周部（３２０）のうちの異なる２カ所を繋ぐ梁部（３３０）を有し、
前記梁部は、前記コア側及び前記コアとは反対側のいずれか一方または両方に突き出たリブ（３３１）を有し、
前記タンクは、前記かしめプレート側の開口部（４２０）の外周面（４３１）に、山部（４３２）と谷部（４３３）とが前記開口部の周方向に交互に設けられた外周部（４３０）を有し、
前記かしめプレートは、前記外周部を覆うと共に、前記谷部に対応した部分が当該谷部に対応した形状になっていることで前記外周部を波状にかしめ固定する波かしめ部（３４０）を有し、
前記波かしめ部は、前記谷部側に対応した部分のうち前記コアとは反対側の端部（３４２）が前記コア側に凹んでいると共に、前記谷部に対応する位置のかしめ爪幅よりも狭い範囲に形成された切り欠き部（３４１）を有している熱交換器。
【請求項４】
前記リブは、前記内周部に接続された一端部（３３２）から他端部（３３３）まで連続して設けられている請求項３に記載の熱交換器。
【請求項５】
前記リブは、前記梁部の外縁部（３３４）が傾斜させられて構成されている請求項３または４に記載の熱交換器。
【請求項６】
前記外縁部は、前記内周部の周方向にＲ状に接続されたＲ部（３３５）を有している請求項５に記載の熱交換器。
【請求項７】
前記リブは、前記梁部の中央部（３３５）が凹んだ形状に構成されている請求項３または４に記載の熱交換器。
【請求項８】
前記かしめプレートは、前記ダクトの外壁面（１０１）に固定された筒状の側壁部（３１１）を有し、
前記リブは、前記側壁部に接続されている請求項７に記載の熱交換器。
【請求項９】
前記タンクは、前記かしめプレート側の開口部（４２０）の外周面（４３１）に、山部（４３２）と谷部（４３３）とが前記開口部の周方向に交互に設けられた外周部（４３０）を有し、
前記かしめプレートは、前記外周部を覆うと共に、前記谷部に対応した部分が当該谷部に対応した形状になっていることで前記外周部を波状にかしめ固定する波かしめ部（３４０）を有し、
前記山部は、前記波かしめ部に接触する頂点部（４３４）における前記開口部の開口方
向に垂直な面の断面形状が尖っている請求項１ないし８のいずれか１つに記載の熱交換器。
【請求項１０】
流入口から第１流体を導入すると共に流出口から前記第１流体を排出するように構成された筒状のダクト（１００）と、
前記ダクトに収容されており、第２流体と前記ダクトに流れる前記第１流体とを熱交換可能に構成されたコア（２００）と、
前記流入口及び前記流出口の開口形状に対応した枠状に形成されていると共に、前記流入口及び前記流出口に固定されたかしめプレート（３００）と、
前記かしめプレートのうち前記ダクト側とは反対側に配置されていると共に、前記かしめプレートにかしめ固定されたタンク（４００）と、
を備え、
前記タンクは、前記かしめプレート側の開口部（４２０）の外周面（４３１）に、山部（４３２）と谷部（４３３）とが前記開口部の周方向に交互に設けられた外周部（４３０）を有し、
前記かしめプレートは、
当該かしめプレートの内周部（３２０）のうちの異なる２カ所を繋ぐ梁部（３３０）と、
前記外周部を覆うと共に、前記谷部に対応した部分が当該谷部に対応した形状になっていることで前記外周部を波状にかしめ固定する波かしめ部（３４０）と、
を有し、
前記波かしめ部は、前記谷部側に対応した部分のうち前記コアとは反対側の端部（３４２）が前記コア側に凹んでいると共に、前記谷部に対応する位置のかしめ爪幅よりも狭い範囲に形成された切り欠き部（３４１）を有している熱交換器。
【請求項１１】
前記山部は、前記波かしめ部に接触する頂点部（４３４）における前記開口部の開口方向に垂直な面の断面形状が尖っている請求項１０に記載の熱交換器。
【発明の詳細な説明】
【技術分野】
【０００１】
本発明は、ダクトにコアが収容された熱交換器に関する。
【背景技術】
【０００２】
従来より、吸気通路が構成された熱交換部と、吸気通路に接続されたタンクと、を備えた熱交換器が、例えば特許文献１で提案されている。タンクは、接続部品としての枠状のプレートを介して熱交換部に固定されている。
【先行技術文献】
【特許文献】
【０００３】
【特許文献１】国際公開第２００８／０３４８２９号
【発明の概要】
【発明が解決しようとする課題】
【０００４】
ここで、プレートの一部が塑性変形されることでタンクがプレートにかしめ固定される構造が考えられる。すなわち、熱交換部にかしめプレートを備える構成が考えられる。かしめ固定は、かしめ荷重がかしめプレートからタンク側に掛けられることで行われる。
【０００５】
しかしながら、かしめプレートの内周面または底面が熱交換部とろう付け等で接合される構成では、タンクの内側方向に掛かるかしめ荷重を受け止めることができない。これは、かしめプレートと熱交換部との間にかしめ荷重を支持するための支持部を配置させるための隙間が無いからである。
【０００６】
その結果、かしめ荷重が、かしめ荷重を受けるかしめプレート外面→タンク→熱交換部に固定されたかしめプレート内面と伝わることで熱交換部が変形してしまう。このため、かしめプレートの変形や、熱交換部を構成するコアのうちの最外部のフィン座屈が発生し、ひいてはコアの耐圧性低下を招く可能性がある。
【０００７】
本発明は上記点に鑑み、かしめの際のコアの変形を抑制することができる熱交換器を提供することを目的とする。
【課題を解決するための手段】
【０００８】
上記目的を達成するため、請求項１に記載の発明では、流入口から第１流体を導入すると共に流出口から第１流体を排出するように構成された筒状のダクト（１００）と、ダクトに収容されており、第２流体とダクトに流れる第１流体とを熱交換可能に構成されたコア（２００）と、流入口及び流出口の開口形状に対応した枠状に形成されていると共に、流入口及び流出口に固定されたかしめプレート（３００）と、かしめプレートのうちダクト側とは反対側に配置されていると共に、かしめプレートにかしめ固定されたタンク（４００）と、を備えている。
【０００９】
そして、かしめプレートは、当該かしめプレートの内周部（３２０）のうちの異なる２カ所を繋ぐ梁部（３３０）を有している。また、梁部は、コア側及びコアとは反対側のいずれか一方または両方に突き出たリブ（３３１）を有している。リブは、梁部の中央部（３３５）が凹んだ形状に構成されている。かしめプレートは、ダクトの外壁面（１０１）に固定された筒状の側壁部（３１１）を有し、リブは、側壁部に接続されている。
【００１０】
これによると、リブによって梁部の断面係数が増加するので、梁部の剛性が向上する。このため、かしめプレートにタンクがかしめ固定される際にかしめプレートにかしめ荷重が掛かったとしても、梁部が変形しにくくなる。したがって、かしめの際のコアの変形を抑制することができる。
請求項３に記載の発明では、タンクは、かしめプレート側の開口部（４２０）の外周面（４３１）に、山部（４３２）と谷部（４３３）とが開口部の周方向に交互に設けられた外周部（４３０）を有している。かしめプレートは、外周部を覆うと共に、谷部に対応した部分が当該谷部に対応した形状になっていることで外周部を波状にかしめ固定する波かしめ部（３４０）を有している。波かしめ部は、谷部側に対応した部分のうちコアとは反対側の端部（３４２）がコア側に凹んでいると共に、谷部に対応する位置のかしめ爪幅よりも狭い範囲に形成された切り欠き部（３４１）を有している。
【００１１】
請求項１０に記載の発明では、タンクは、かしめプレート側の開口部（４２０）の外周面（４３１）に、山部（４３２）と谷部（４３３）とが開口部の周方向に交互に設けられた外周部（４３０）を有している。
【００１２】
また、かしめプレートは、当該かしめプレートの内周部（３２０）のうちの異なる２カ所を繋ぐ梁部（３３０）と、外周部を覆うと共に、谷部に対応した部分が当該谷部に対応した形状になっていることで外周部を波状にかしめ固定する波かしめ部（３４０）と、を有している。
【００１３】
そして、波かしめ部は、谷部側に対応した部分のうちコアとは反対側の端部（３４２）がコア側に凹んでいると共に、谷部に対応する位置のかしめ爪幅よりも狭い範囲に形成された切り欠き部（３４１）を有している。
【００１４】
これによると、波かしめ部のうち谷部に対応した部分に切り欠き部が設けられているので、かしめ時に波かしめ部を押す部分が減ることによりかしめ荷重が減少する。このため、かしめ荷重が波かしめ部から内周部を介して梁部に伝わりにくくなる。したがって、かしめプレートに設けられた梁部の変形を抑制することができ、ひいてはかしめの際のコアの変形を抑制することができる。
【００１７】
なお、この欄及び特許請求の範囲で記載した各手段の括弧内の符号は、後述する実施形態に記載の具体的手段との対応関係を示すものである。
【図面の簡単な説明】
【００１８】
【図１】本発明の第１実施形態に係る熱交換器の平面図である。
【図２】図１のＡ矢視図である。
【図３】図１のＢ矢視図である。
【図４】図１のＡ矢視図であり、タンクを省略した図である。
【図５】梁部の斜視図である。
【図６】図１のＡ矢視図であり、タンクのうち開口部以外を省略した図である。
【図７】図６に示された波かしめ部の一部拡大図である。
【図８】タンクに対して波かしめ部をかしめ固定する様子を示した図である。
【図９】かしめ荷重による梁部の変形量を調べるための構造モデルを示した図である。
【図１０】（ａ）はリブが設けられていない梁部の変形を示した図であり、（ｂ）はリブが設けられた梁部の変形を示した図である。
【図１１】第１実施形態に係る梁部の変形例を示した図である。
【図１２】第１実施形態に係る梁部の変形例を示した図である。
【図１３】第１実施形態に係る梁部の変形例を示した図である。
【図１４】第２実施形態に係る波かしめ部の一部を示した平面図である。
【図１５】図１４のＣ部拡大図である。
【図１６】第２実施形態に係る切り欠き部の変形例を示した図である。
【図１７】第２実施形態に係る切り欠き部の変形例を示した図である。
【図１８】第３実施形態に係るタンクの外周部を示した断面図である。
【発明を実施するための形態】
【００１９】
以下、本発明の実施形態について図に基づいて説明する。なお、以下の各実施形態相互において、互いに同一もしくは均等である部分には、図中、同一符号を付してある。
【００２０】
（第１実施形態）
以下、本発明の第１実施形態について図を参照して説明する。本実施形態に係る熱交換器は、過給機にて加圧されて高温になった過給気と冷却水とを熱交換させて吸気を冷却する水冷式インタークーラとして用いられる。
【００２１】
図１〜図６に示されるように、熱交換器１は、ダクト１００、コア２００、かしめプレート３００、及びタンク４００を備えて構成されている。
【００２２】
ダクト１００は、第１流体としての過給気が流通する筒状の部品である。図３に示されるように、ダクト１００は、アルミニウム等の金属薄板が所定の形状にプレス加工された第１ダクトプレート１１０及び第２ダクトプレート１２０が筒状に組み合わされることで構成されている。
【００２３】
ダクト１００は、流入口から過給気を導入すると共に流出口から過給気を排出するように構成されている。したがって、過給気はダクト１００の流入口からダクト１００の内部の吸気流路に流入する。そして、過給気は吸気流路を流れてダクト１００の流出口から外部に流出するようになっている。すなわち、図１及び図３に示されるように、過給気は過給気流れ方向に沿ってダクト１００の内部を流れる。図４に示されるように、ダクト１００の流入口及び流出口は、略矩形に形成されている。
【００２４】
また、第２ダクトプレート１２０は、第２流体としての冷却水が流通する図示しない配管が接続される冷却水側パイプ１２１を有している。熱交換器１は、冷却水を冷却する図示しない熱交換器と当該配管を介して接続される。
【００２５】
コア２００は、冷却水とダクト１００に流れる過給気とを熱交換する熱交換部である。コア２００は、ダクト１００に収容されている。また、コア２００は、アルミニウム等の金属部材によって形成されている。
【００２６】
具体的には、図４に示されるように、コア２００は、クーリングプレート２１０とアウターフィン２２０とがスペーサプレート２３０を介して交互に積層されて構成されている。また、クーリングプレート２１０は、冷却水が流れる流路を構成している。この流路には、伝熱面積を増加させて熱交換を促進する図示しないインナーフィンが内包されている。
【００２７】
そして、過給気は、クーリングプレート２１０とスペーサプレートとの間を通過する。一方、冷却水は、冷却水側パイプ１２１を介してクーリングプレート２１０によって構成された流路に流入または流出する。これにより、コア２００は、過給気と冷却水とを熱交換する。
【００２８】
かしめプレート３００は、ダクト１００を筒状に維持した状態で固定すると共に、タンク４００を固定するための中継部品である。かしめプレート３００は、アルミニウム等の金属薄板がプレス加工されて形成されている。かしめプレート３００は、ダクト１００の流入口及び流出口の開口形状に対応した略矩形の枠状に形成されている。そして、かしめプレート３００は、ダクト１００の流入口及び流出口にそれぞれ固定されている。
【００２９】
図５に示されるように、かしめプレート３００は、溝部３１０、内周部３２０、梁部３３０、及び波かしめ部３４０を有している。
【００３０】
溝部３１０は、ダクト１００の流入口及び流出口に沿ってダクト１００側に凹んだ部分であり、タンク４００の開口部４２０が差し込まれる部分である。
【００３１】
溝部３１０は、側壁部３１１、底壁部３１２、及び外壁部３１３を有している。側壁部３１１は、ダクト１００の外壁面１０１に固定された筒状の部分である。底壁部３１２は、側壁部３１１に接続されていると共に、溝部３１０の底を構成する部分である。さらに、外壁部３１３は、底壁部３１２に接続されていると共に、側壁部３１１と略平行に延びる部分である。
【００３２】
内周部３２０は、溝部３１０の側壁部３１１に接続されていると共に、側壁部３１１に対して略９０度に折り曲げられた部分である。
【００３３】
梁部３３０は、内周部３２０のうちの異なる２カ所を繋ぐ部分である。梁部３３０は、かしめプレート３００の一方の長辺部と他方の長辺部とを繋ぐように設けられている。本実施形態では、４本の梁部３３０がかしめプレート３００に設けられている。梁部３３０は、かしめプレート３００がプレス加工によって形成された後の歪みや変形を防止する役割を果たす。
【００３４】
また、梁部３３０は、コア２００とは反対側に突き出たリブ３３１を有している。言い換えると、梁部３３０は、タンク４００の流入口及び流出口の開口方向すなわち過給気流れ方向に沿ってタンク４００側に突き出たリブ３３１を有している。リブ３３１は、梁部３３０の断面係数を増加させることで梁部３３０を補強する役割を果たす。
【００３５】
本実施形態では、リブ３３１は、内周部３２０に接続された梁部３３０の一端部３３２から他端部３３３まで連続して設けられている。これにより、梁部３３０の全体の剛性を向上させることができる。また、リブ３３１は、梁部３３０の外縁部３３４が傾斜させられて構成されている。具体的には、リブ３３１は、梁部３３０の外縁部３３４が本体部分に対して略９０度に折り曲げられた部分である。
【００３６】
本実施形態では、溝部３１０に対するタンク４００の差し込み方向におけるリブ３３１の幅は、中間部分が最も大きくなっており、一端部３３２及び他端部３３３に向かって幅が小さくなっている。言い換えると、リブ３３１は、半楕円状に構成されている。これにより、梁部３３０のうちリブ３３１の中間部分に対応する部分の剛性をリブ３３１の端部側よりも高くすることができる。
【００３７】
さらに、外縁部３３４は、かしめプレート３００の内周部３２０の周方向にＲ状に接続されたＲ部３３５を有している。これにより、Ｒ部３３５によって内周部３２０に対する梁部３３０の付け根を補強することができる。また、当該付け根の強度を向上させることができる。
【００３８】
波かしめ部３４０は、タンク４００をかしめプレート３００にかしめ固定する部分である。波かしめ部３４０は、溝部３１０の外壁部３１３に接続されている。図４及び図５では、波かしめ部３４０が変形させられる前の形状が示されている。かしめ固定については、後で説明する。
【００３９】
ダクト１００、コア２００、コア２００を構成する各部品、及びかしめプレート３００は、一体ろう付けによって接合されている。
【００４０】
タンク４００は、過給気が流通する配管である。タンク４００は、かしめプレート３００のうちダクト１００及びコア２００側とは反対側に配置されている。このようなタンク４００は、図６に示されるように、過給気側パイプ４１０、開口部４２０、及び外周部４３０を有している。
【００４１】
過給気側パイプ４１０は、タンク４００に対して過給気の出入口となる部分である。過給気側パイプ４１０は、図示しない配管を介して過給機に接続される。
【００４２】
開口部４２０は、かしめプレート３００の溝部３１０に挿入された部分である。外周部４３０は、開口部４２０のうちのかしめプレート３００の波かしめ部３４０に対応する部分である。外周部４３０は波かしめ部３４０によって全体がかしめ固定されている。なお、図６では、タンク４００のうちコア２００とは反対側を省略している。また、コア２００の構造を省略している。
【００４３】
外周部４３０は、開口部４２０のうちの外壁部分である。図７に示されるように、外周部４３０は、開口部４２０の外周面４３１に形成された山部４３２及び谷部４３３を有している。山部４３２及び谷部４３３は、開口部４２０の周方向に交互に配置されている。
【００４４】
そして、波かしめ部３４０は、タンク４００の外周部４３０を覆うと共に、谷部４３３に対応した部分が当該谷部４３３に対応した形状になっている。これにより、波かしめ部３４０が外周部４３０の全体を波状にかしめ固定する。
【００４５】
かしめ固定は、次のように行われる。まず、図８に示されるように、かしめプレート３００にタンク４００が差し込まれると共に、外周部４３０が波かしめ部３４０に覆われる。続いて、波かしめ部３４０のうち谷部４３３に対応した部分がパンチ５００によって谷部４３３側に押し込まれる。これ伴い、波かしめ部３４０のうち谷部４３３に対応した部分が当該谷部４３３側に変形させられる。
【００４６】
そして、波かしめ部のうち全ての谷部４３３に対応した部分がパンチ５００によって変形させられる。このようにして、図６に示されるように、タンク４００がかしめプレート３００にかしめ固定される。以上が、熱交換器１の全体構成である。
【００４７】
次に、かしめプレート３００の梁部３３０に設けられたリブ３３１の効果について説明する。波かしめ部３４０にかしめ荷重が掛けられて変形させられる際に、かしめ荷重は、波かしめ部３４０、タンク４００の開口部４２０、内周部３２０を介して梁部３３０に伝わる。発明者らは、図９に示された構造にかしめ荷重が掛かったときの梁部３３０の変形量をシミュレーションで解析した。その結果を図１０に示す。
【００４８】
図１０（ａ）に示されるように、梁部３３０にリブ３３１が設けられていない構成では、梁部３３０はタンク４００側に大きく湾曲した。一方、図１０（ｂ）に示されるように、梁部３３０にリブ３３１が設けられた構成では、梁部３３０の変形はわずかであった。リブ３３１が設けられていない構成とリブ３３１が設けられた構成では、変形量の比は１００：１８だった。なお、図５に示すリブ３３１の中央を高くした形状ではさらに大きな変形抑制効果を得ることができる。
【００４９】
リブ３３１は、梁部３３０の断面係数を増加させることができるので、梁部３３０の剛性を向上させることができる。このため、タンク４００がかしめプレート３００にかしめ固定される際のかしめ荷重に対して梁部３３０を変形させにくくすることができる。したがって、リブ３３１によって梁部３３０の変形を抑制することができる。
【００５０】
そして、波かしめ部３４０にかしめ荷重が掛かると、タンク４００の開口部４２０を介して溝部３１０の側壁部３１１のうちの底壁部３１２側がコア２００を押すように変形する。このとき、波かしめ部３４０に大きなかしめ荷重が掛かると、溝部３１０が最外部に位置するアウターフィン２２０を押し付ける。このため、フィン座屈が発生してしまう。
【００５１】
しかし、本実施形態では、かしめプレート３００の梁部３３０にリブ３３１が設けられているので、梁部３３０がかしめ荷重に耐えられる。したがって、かしめ固定の際のコア２００への変形をかしめプレート３００そのもので抑制できるので、フィン座屈を抑制することができる。また、フィン座屈によるクーリングプレート２１０の破損の発生を回避することができる。このため、クーリングプレート２１０から水が漏れるということも起こらず、熱交換器１の耐圧性能の低下も起こらない。
【００５２】
リブ３３１は、図１１〜図１３に示された変形例に示されるように、その形状を変更することが可能である。
【００５３】
図１１の変形例に示されるように、リブ３３１はコア２００側に突き出るように梁部３３０に設けられていても良い。また、リブ３３１はＲ部３３５を有しないと共に、リブ３３１の幅が一定になっていても良い。
【００５４】
一方、図１２の変形例に示されるように、リブ３３１は、梁部３３０の中央部３３５がタンク４００側に凹んだ形状に構成されていても良い。
【００５５】
さらに、図１３の変形例に示されるように、リブ３３１は、梁部３３０の中央部３３５がコア２００側に凹んだ形状に構成されていると共に、リブ３３１が溝部３１０の側壁部３１１に接続されていても良い。これにより、梁部３３０の剛性を高めることができる。もちろん、コア２００側に凹んだリブ３３１が溝部３１０の側壁部３１１に接続されていなくても良い。
【００５６】
（第２実施形態）
本実施形態では、第１実施形態と異なる部分について説明する。図１４に示されるように、かしめプレート３００の波かしめ部３４０は、切り欠き部３４１を有している。切り欠き部３４１は、谷部４３３側に対応した部分のうちダクト１００（コア２００）とは反対側の端部３４２がダクト１００（コア２００）側に凹んだ部分である。切り欠き部３４１は、波かしめ部３４０の端部３４２がダクト１００（コア２００）側に向かって幅が狭くなるように形成されている。
【００５７】
また、図１５に示されるように、かしめ爪幅は谷部４３３に対応する位置に形成される。そして、切り欠き部３４１の切り欠き幅は、かしめ爪幅よりも狭い範囲に形成されている。
【００５８】
これにより、波かしめ部３４０のうち、山部４３２に対応した部分よりも谷部４３３に対応した部分のかしめ爪高さが低くなる。言い換えると、波かしめ部３４０のうちパンチ５００によってかしめ荷重が掛けられる部分の長さが小さくなる。かしめ荷重は、かしめ爪高さに比例するので、かしめ爪高さが低くなることでかしめ爪幅に掛かるかしめ荷重を予め小さくすることができる。例えば、切り欠き部３４１の高さをＡ、かしめ爪高さをＢとすると、かしめ荷重はＢ／（Ａ＋Ｂ）に減少する。このため、かしめ荷重が波かしめ部３４０から内周部３２０を介して梁部３３０に伝わりにくくなるので、かしめ荷重によって梁部３３０の変形を抑制することができる。したがって、第１実施形態と同様に、かしめの際のコア２００の変形を抑制することができる。
【００５９】
切り欠き部３４１は、図１６及び図１７の変形例に示されるように、その形状を変更することが可能である。図１６に示されるように、切り欠き部３４１は、波かしめ部３４０の端部３４２が台形状に切り取られた形状でも良い。また、図１７に示されるように、切り欠き部３４１は、波かしめ部３４０の端部３４２が半円状に切り取られた形状でも良い。
【００６０】
（第３実施形態）
本実施形態では、第１、第２実施形態と異なる部分について説明する。図１８に示されるように、タンク４００の山部４３２は、波かしめ部３４０に接触する頂点部４３４における開口部４２０の開口方向に垂直な面の断面形状が尖っている。言い換えると、頂点部４３４の断面形状はＶ字状になっている。つまり、波かしめ部３４０に対する頂点部４３４の接触Ｒが小さくなっている。ここで、「尖っている」とは、角形状になっていても良いし、角形状の先端が丸まっていても良い。
【００６１】
これにより、波かしめ部３４０のうち山部４３２の頂点部４３４に接触する部分に応力が集中しやすくなるので、波かしめ部３４０のうち山部４３２の頂点部４３４に接触する部分を変形させやすくすることができる。すなわち、波かしめ部３４０に掛けるかしめ荷重を小さくすることができる。したがって、かしめ荷重が波かしめ部３４０から内周部３２０を介して梁部３３０に伝わりにくくなるので、かしめプレート３００に設けられた梁部３３０の変形を抑制することができる。また、上記各実施形態と同様に、かしめの際のコア２００の変形を抑制することができる。
【００６２】
（他の実施形態）
上記各実施形態で示された熱交換器１の構成は一例であり、上記で示した構成に限定されることなく、本発明を実現できる他の構成とすることもできる。例えば、上記各実施形態では、熱交換器１を水冷式インタークーラとして用いる例を示したが、熱交換器１を他の用途に適用しても良い。
【００６３】
また、第１実施形態で示されたリブ３３１は、梁部３３０の外縁部３３４の一方だけに設けられていても良い。さらに、梁部３３０の外縁部３３４の一方に設けられたリブ３３１がコア２００側に突き出ており、梁部３３０の外縁部３３４の他方に設けられたリブ３３１がコア２００とは反対側に突き出ていても良い。
【００６４】
もちろん、本発明は上記した各実施形態に限定されるものではなく、特許請求の範囲に記載した範囲内において適宜変更が可能である。
【符号の説明】
【００６５】
１００  ダクト
２００  コア
３００  かしめプレート
３２０  内周部
３３０  梁部
３３１  リブ
３４０  波かしめ部
４００  タンク
【図１】
0006551293.tif 000002
【図２】
0006551293.tif 000003
【図３】
0006551293.tif 000004
【図４】
0006551293.tif 000005
【図５】
0006551293.tif 000006
【図６】
0006551293.tif 000007
【図７】
0006551293.tif 000008
【図８】
0006551293.tif 000009
【図９】
0006551293.tif 000010
【図１０】
0006551293.tif 000011
【図１１】
0006551293.tif 000012
【図１２】
0006551293.tif 000013
【図１３】
0006551293.tif 000014
【図１４】
0006551293.tif 000015
【図１５】
0006551293.tif 000016
【図１６】
0006551293.tif 000017
【図１７】
0006551293.tif 000018
【図１８】
0006551293.tif 000019